(57)【要約】【課題】支柱を用意することなく、常に元気に泳いでいる状態で飾ることができるこいのぼりを提供する。【解決手段】こいのぼり１００を本体部材１１０と吊り部材１３０とで構成し、本体部材１１０における口部１１２、および、上縁部の少なくとも１箇所にそれぞれ吊り部材１３０を取り付ける。【選択図】図１
2019213654.tif 000002
【特許請求の範囲】
【請求項１】
本体部材と、吊り部材と備えており、
前記本体部材における口部、および、上縁部の少なくとも１箇所にそれぞれ前記吊り部材が取り付けられていることを特徴とするこいのぼり。
【請求項２】
前記吊り部材は、一端が前記こいのぼりに取り付けられた紐状部材と、前記紐状部材の他端に取り付けられたフックとを有している、請求項１に記載のこいのぼり。
【請求項３】
前記吊り部材は、前記本体部材における、前記口部と、背びれ部と、尾びれ部とに取り付けられる、請求項１または２に記載のこいのぼり。
【発明の詳細な説明】
【技術分野】
【０００１】
本発明は、端午の節句の頃に家庭等で飾られるこいのぼりに関する。
【背景技術】
【０００２】
端午の節句の頃にこいのぼりを飾ることは日本における伝統的な習慣であり、こいのぼり自体についても、今日までに様々な改良がなされてきている。
【０００３】
例えば、特許文献１には、金属棒をこいのぼりの内部に挿通し、この金属棒でこいのぼりが垂れ下がるのを防止することにより、風力が小さい時であってもこいのぼりが支柱から垂れ下がった状態になるのを防止する技術が開示されている。
【先行技術文献】
【特許文献】
【０００４】
【特許文献１】特開２００１−３２７３８９号公報
【発明の概要】
【発明が解決しようとする課題】
【０００５】
しかしながら、特許文献１に開示された技術は、こいのぼりを取り付ける支柱を用意することが前提となっており、支柱を立てるための設置スペースを確保しにくい都市部の住宅や、こいのぼりを装飾品として使用したい店舗や施設等の内部でこの技術を使用するのは困難であった。
【０００６】
本発明は、かかる問題を解決するためになされたものであり、その目的は、支柱を用意することなく、常に元気に泳いでいる状態で飾ることができるこいのぼりを提供することにある。
【課題を解決するための手段】
【０００７】
この発明のある局面に従うと、
本体部材と、吊り部材と備えており、
前記本体部材における口部、および、上縁部の少なくとも１箇所にそれぞれ前記吊り部材が取り付けられていることを特徴とするこいのぼりが提供される。
【０００８】
好適には、前記吊り部材は、一端が前記こいのぼりに取り付けられた紐状部材と、前記紐状部材の他端に取り付けられたフックとを有している。
【０００９】
好適には、前記吊り部材は、前記本体部材における、前記口部と、背びれ部と、尾びれ部とに取り付けられる。
【発明の効果】
【００１０】
この発明によれば、本体部材における、口部、および、上縁部の少なくとも１箇所にそれぞれ吊り部材が取り付けられているので、水平方向に張ったロープや壁等に吊り部材を取り付けることにより、設置スペースや重いおもりが必要な支柱を用意することなく、常に元気に泳いでいる状態で飾ることができるこいのぼりを提供することができた。
【００１１】
もちろん、本発明に係るこいのぼりは、屋外に飾ってもよいし、屋内に飾ることもできる。さらに言えば、口部に取り付けた吊り部材のみを利用して、従来のこいのぼりと同様に、支柱を利用して飾ることもできる。
【図面の簡単な説明】
【００１２】
【図１】本発明が適用されたこいのぼり１００の一例の全体を示す図である。
【図２】図１に示したこいのぼり１００の口部１１２だけを正面に向けた状態を示す図である。
【図３】実施形態に係るフック１３４の正面図である。
【図４】実施形態に係るフック１３４の左側面図である。
【図５】紐状部材１３２のみで吊り部材１３０を構成したこいのぼり１００の一例を示す図である。
【図６】フック１３４のみで背びれ部１１４や尾びれ部１１６に取り付ける吊り部材１３０を構成したこいのぼり１００の一例を示す図である。
【図７】略水平に設置したロープにこいのぼり１００を取り付けた状態を示す図である。
【発明を実施するための形態】
【００１３】
以下、図面を参照しつつ、本発明の実施の形態について説明する。以下の説明では、同一の部品には同一の符号を付してある。それらの名称および機能も同じである。したがって、それらについての詳細な説明は繰り返さない。また、各符号に関し、各部位を上位概念で示す場合にはアルファベットの枝番をつけずアラビア数字のみで示し、各部位を区別する必要がある場合（すなわち下位概念で示す場合）にはアルファベット大文字の枝番をアラビア数字に付して区別する。
【００１４】
＜こいのぼり１００の構成＞
図１および図２を参照して、本実施形態に係るこいのぼり１００について説明する。
【００１５】
本実施形態に係るこいのぼり１００は、大略、本体部材１１０と、吊り部材取付部材１２０と、吊り部材１３０とを備えている。
【００１６】
本体部材１１０は、鯉や吹き流しの形状に形成された織物製・布製・樹脂シート製等の部材であり、従来のこいのぼりと同様に口部１１２と尾びれ部１１６が開いた袋状になっている。もちろん、本体部材１１０の形状はこれに限定されるものではなく、鯉や吹き流しの形状や配色はどのようなものであってもよい。また、本体部材１１０とほぼ同形状の空気袋（図示せず）を別に用意し、膨らませた空気袋を本体部材１１０に収容することで、横方向の厚みを出すことができてより本物の鯉に近い形状で本体部材１１０を飾ることもできる。
【００１７】
本実施形態に係る本体部材１１０は、鯉を模した形状に形成されており、口部１１２、背びれ部１１４、尾びれ部１１６、および、胸びれ部１１８を有している。口部１１２内には、本物の鯉が口を開けている状態を模して円形のリング部材１１９が取り付けられている。
【００１８】
吊り部材取付部材１２０は、吊り部材１３０の一端を本体部材１１０に取り付けるための部材であり、本実施形態では「ハトメ」が使用されている。吊り部材取付部材１２０は、「ハトメ」に限定されるものではなく、例えば、吊り部材１３０の一端が取り付けられる「フック」状であってもよい。さらにいえば、吊り部材１３０の一端を取り付けるために本体部材１１０に形成した単なる「孔」も吊り部材取付部材１２０に含まれる。
【００１９】
また、本実施形態では、吊り部材取付部材１２０は、本体部材１１０の口部１１２、背びれ部１１４、および尾びれ部１１６に設けられている。さらに、本体部材１１０の口部１１２には、２つ以上の吊り部材取付部材１２０がこいのぼり１００の幅方向（口部１１２の円周）に離間してそれぞれ取り付けられている。
【００２０】
なお、吊り部材取付部材１２０は、本体部材１１０の口部１１２のほか、こいのぼり１００の上端部にある背びれ部１１４および尾びれ部１１６のいずれか一方に取り付ければよい。また、背びれ部１１４や尾びれ部１１６に変えて、本体部材１１０の上縁部の少なくとも１箇所に吊り部材取付部材１２０を取り付ければよい。さらに言えば、本体部材１１０における本実施形態とは異なる位置に吊り部材取付部材１２０を取り付けてもよい。
【００２１】
吊り部材１３０は、例えば水平方向に張ったロープや壁等に本体部材１１０を吊り下げるための部材であり、本実施形態では、紐状部材１３２と、フック１３４とを有している。
【００２２】
紐状部材１３２は、その一端が本体部材１１０の吊り部材取付部材１２０に取り付けられる部材であり、その太さや色や材質等については特に限定されるものではない。例えば、紐状部材１３２を透明な素材で構成することで、こいのぼり１００があたかも中に浮いているように見えて大空を泳ぐ様子に迫力が増すことが考えられる。また、紐状部材１３２の長さを自在に変化させることができるようにリール等を付加することにより、こいのぼり１００の様々なレイアウトを楽しむことができる。さらに、吊り部材１３０の全部または一部に弾性素材を使用することで、こいのぼり１００が泳ぐ姿をさらに自然に見せることができる。
【００２３】
フック１３４は、図３および図４に示すように、紐状部材１３２の他端に取り付けられる部材であり、当該紐状部材１３２が取り付けられる紐状部材取付部１３６と、ロープ等に取り付けられる取付部１３８とを有している。本実施形態に係るフック１３４は、取付部１３８が、掛け部１４０と、本体部１４２とで構成されており、フック１３４を幅方向に縮めて一時的に掛け部１４０を本体部１４２から離間させた状態で当該掛け部１４０と本体部１４２との間にロープ等を嵌め込み、然る後、フック１３４を自然形状に戻して掛け部１４０を本体部１４２に当接させることにより、ロープ等を簡単にフック１３４に取り付けることができる。また、フック１３４の自然状態における掛け部１４０と本体部１４２との間隔よりも太いロープ等を使用することで、掛け部１４０と本体部１４２とで常にロープ等を締めることができ、ロープ等におけるフック１３４の位置が不所望に移動しないようにできる。さらに、フック１３４の位置を移動させたい場合は、フック１３４を幅方向に少し縮めてロープ等の締め付けを緩めればよい。
【００２４】
もちろん、フック１３４の形状は本実施形態のものに限定されず、ロープ等への付け外しや位置調整ができればどのような形状でもよい。
【００２５】
なお、図５に示すように、吊り部材１３０を紐状部材１３２のみで構成してもよいし、逆に、図６に示すように、特に背びれ部１１４や尾びれ部１１６に取り付けるフック１３４を直接吊り部材取付部材１２０に取り付けることにより、フック１３４のみで吊り部材１３０を構成してもよい。また、口部１１２にフック１３４を直接吊り部材取付部材１２０に取り付けてもよい。
【００２６】
＜こいのぼり１００の特徴＞
上述した実施形態に係るこいのぼり１００によれば、本体部材１１０の口部１１２、および、上縁部の少なくとも１箇所にそれぞれ吊り部材１３０が取り付けられているので、図７に示すように、水平方向に張ったロープや壁等に吊り部材１３０を取り付けることにより、設置スペースや重いおもりが必要な支柱を用意することなく、常に元気に泳いでいる状態で飾ることができる。
【００２７】
もちろん、本実施形態に係るこいのぼり１００は、屋外に飾ってもよいし、屋内に飾ることもできる。さらに言えば、本実施形態に係るこいのぼり１００は、口部１１２に取り付けた吊り部材１３０のみを利用して、従来のこいのぼりと同様に、支柱を利用して飾ることもできる。
【００２８】
（変形例１）
上述のように、本体部材１１０の形状は実施形態のものに限定されず、鯉の形ではなく吹き流しの形状であってもよい。吹き流しの形状の場合も本体部材１１０の口部１１２、および、上縁部の少なくとも１箇所にそれぞれ吊り部材１３０が取り付けられていればよく、例えば、口部１１２と、当該口部１１２とは反対側端の上縁部における１箇所とに吊り部材１３０を取り付けることが考えられる。
【００２９】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００３０】
１００…こいのぼり
１１０…本体部材、口部…１１２、１１４…背びれ部、１１６…尾びれ部、１１８…胸びれ部、１１９…リング部材
１２０…吊り部材取付部材
１３０…吊り部材、１３２…紐状部材、１３４…フック、１３６…紐状部材取付部、１３８…取付部、１４０…掛け部、１４２…本体部
【図１】
2019213654.tif 000003
【図２】
2019213654.tif 000004
【図３】
2019213654.tif 000005
【図４】
2019213654.tif 000006
【図５】
2019213654.tif 000007
【図６】
2019213654.tif 000008
【図７】
2019213654.tif 000009